(57)【要約】      （修正有）【課題】効率的に議論を展開させ発展させるシステムを提供する。【解決手段】ネットもしくはコンピューター上で複数の者が同時にやりとり出来る様にする。コミュニティーにあたる「部屋」をもうけ、その中に「問題トピック」、「解決案」、「関連トピック」、「否定＋改良案」、「ある解決策とある解決策の折衷案」等をもうける。例えば「部屋」として「民営議会」というものをもうける。そこに「問題トピック」として「公務員改革はどうすべきか」をもうける。そのトピックに複数の「解決案」を提案可能にする。例えば「解決案１」や「解決案２」を提案できる。そして「解決案」、「否定＋改良案」、「原案と反対意見ともっといい案の折衷案」、「ある解決策とある解決策の折衷案」などに投票できるようにし、それによって良いものを選ぶ。【選択図】なし【特許請求の範囲】
【請求項１】
効率的に議論を展開させ発展させるシステム
【発明の詳細な説明】
【技術分野】
【０００１】  本発明は新しい議論システムに関する。
【背景技術】
【０００２】  本発明に似ているものとしては、コンピュータープログラムとしてはミクシーやツイッターや２チャンネルがある。
【発明の開示】
【０００３】  まずは「部屋」という、ミクシーで「コミュニティー」にあたるものを作る。「部屋」の中に、「問題トピック（問題Ａ《Ｂ、Ｃ・・・と続く》を解決するためにはどうすれば良いか）」をいくつも設置できるようにする。「問題トピック（問題Ａを解決するためにはどうすれば良いか）」の下に「解決策」をいくつも設置できるようにする。「部屋」と「問題トピック（問題Ａを解決するためにはどうすれば良いか）」と「解決策」や各種タグに「関連トピック」というものを立てて新たな問題に対処できるようにする。
【発明が解決しようとする課題】
【０００４】  本発明では例えば「部屋」として「民営議会」というものを立ち上げる。そこに「問題トピック（問題Ａを解決するためにはどうすれば良いか）」として「公務員改革はどうすべきか」というものを立てる。その「問題トピック（問題Ａを解決するためにはどうすれば良いか）」に複数の「解決策」を打ち立てられるようにする。例えば「解決策１」としては「透明性を確保する」というものを打ち立て「解決策２」として「第三者機関を設置する」というものを打ち立てることなどが考えられる。
【０００５】  「解決策」の下に、「否定＋改良案（アウフヘーベン）」、「利点」、「問題点指摘」、「気付き」、「具体化案」、「原案と反対意見の折衷案」、「原案と反対意見ともっといい案の折衷案」、「ある解決策とある解決策の折衷案」というタグを複数付け加えられるようにする。「ある解決策とある解決策の折衷案」は「解決策Ａ」と「解決策Ｂ」に連なる形で設置できるようにする。「ある解決策とある解決策の折衷案」はいくつもの「解決策」の折衷案を統合することが可能であるようにする。それに似ているものは同じように扱う。
【０００６】  そして「解決案」、「否定＋改良案」、「原案と反対意見の折衷案」「原案と反対意見ともっといい案の折衷案」、「ある解決策とある解決策の折衷案」などに投票できるようにする、それによって「解決案」、「否定＋改良案」、「原案と反対意見ともっといい案の折衷案」、「ある解決策と  ある解決策の折衷案」等の中で良いものを選ぶ。
【発明を実施するための最良の形態】
【０００７】  それをコンピュータープログラムという形態にし、ネットもしくはコンピューター上でやりとり出来る様にする。そして複数の者が同時にアクセスできるようにする。【０００８】  「部屋」、「問題トピック（問題Ａを解決するためにはどうすれば良いか）」、「解決案」、「関連トピック」、「否定＋改良案」、「利点」、「問題点指摘」、「気付き」、「具体化案」、「原案と反対意見の折衷案」、「原案と反対意見ともっといい案の折衷案」、「ある解決策とある解決策の折衷案」には、それぞれの者が思いついた文章などを記入する。【０００９】  それらには、文章を記入できたり、映像を録画したものを使ったり、音声を録音したものを使ったりできるようにする。リアルタイムでもやりとりできるようにする。それによって大方の建設的議論は可能になる。
【手続補正書】
【提出日】平成23年10月21日(2011.10.21)
【手続補正１】
【補正対象書類名】明細書
【補正対象項目名】全文
【補正方法】変更
【補正の内容】
【発明の詳細な説明】
【技術分野】
【０００１】  本発明は新しい議論システムに関する。
【背景技術】
【０００２】  本発明に似ているものとしては、ウェブ・アプリケーションやＳＮＳでは「ミクシー」や「ツイッター」や「２チャンネル」がある。しかし本発明はそれらを進化させたものである。
【発明の開示】
【０００３】  本発明は、第一に課題によりよい解決策をもたらすことを目的としている。第二に多くの課題を議論によって編み出すことを目的としている。第三に世に常識として扱われている、多くのそれぞれの課題を柔軟に見直し、それらを有用で実行可能な課題に作り変えることを目的としている。
【０００４】  本発明はある特定の機能を持ったＳＮＳである。まずは任意のＳＮＳを作り、任意のウェブアドレスに置く。そしてそれを利用する。そしてそれをネットもしくはコンピューター上で人々がやりとり出来る様にする。そして複数の者が同時にアクセスできるようにする。そのＳＮＳ上にそれぞれの人々がログインできる「部屋」という、ミクシーで「コミュニティー」に似たものを、それぞれの人々がいくつも設置できるようにする。「部屋」の中に、一つ一つの課題が「課題トピック」としていくつも採用され、設置されるようにする。それらの一つ一つの課題は私が発明した『意見トーナメント制システム』を応用し『課題トーナメント制システム』としたシステムによって、それぞれの人々から課題を募集し、それら課題の価値の順位を見定め、任意のＳＮＳ上の「部屋」に、「課題トピック」として価値の高いものから順に並べられて表示されるようにする。そして任意のＳＮＳ上の「部屋」の「課題トピック」の中に「解決策」をそれぞれの人々がいくつも設置できるようにする。そうすると「部屋」の中にいくつもの「課題トピック」が設置され、その中にいくつもの「解決策」が設置されることになる。「部屋」と「課題トピック」と「解決策」やそれらに関連する各種欄（後述）の一つ一つのオブジェクトに、「関連事項」というものをそれぞれの人々がいくつも設置し、新たな問題に対処できるようにする。
【発明が解決しようとする課題】
【０００５】  本発明では任意のＳＮＳ上に、「部屋」として、例えば「民営議会」というものを立ち上げる。そこには課題トーナメント制システムによって、「課題トピック」として、例えば「公務員改革はどうすべきか」というものを打ち立てられることが考えられる。その「課題トピック」にそれぞれの人々によって、複数の「解決策」が打ち立てられるようにする。例えば「解決策１」としては「透明性を確保する」というものが打ち立てられ、「解決策２」として「第三者機関を設置する」というものが打ち立てられることなどが考えられる。
【０００６】  さらに「課題トピック」の中に、「この課題にあたる現行の関連する省庁・地方自治体の部署、企業等の情報」、「派生する新しい課題」、「この課題と他の課題の統合」、「課題の無意味さの主張とそれに代わる課題の代替案」という欄を設け、それらの欄に、それぞれの人々が複数のそれらを付け加えられるようにする。
【０００７】  「課題トピック」と「課題の無意味さの主張とそれに代わる課題の代替案」を比較してどちらが、価値が高いかが、『意見トーナメント制』を応用した、課題トーナメント制システムによって決められるようにする。例えば「課題トピック」として仮に「公務員改革はどうすべきか」というものが打ち立てられた場合（現段階では私は、課題は課題トーナメント制システムから取り入れることのみを考えているが、それぞれの人々が課題を作り出し、「課題トピック」に反映することも考えられる）、それに対抗して、「課題の無意味さの主張とそれに代わる課題の代替案」として、ある人々によって、「公務員改革などすべきではなく、天下りを守り、出来る限り多くの民衆から多くの収入を搾取すべきである」というもの等が極論として打ち立てられることもまあ可能性としては考えられる。例えば「課題トピック」として「食料問題をどうすべきか」というものが打ち立てられた場合、「課題の無意味さの主張とそれに代わる課題」として、ある人々によって、「人間は動物を食わずに生きるべきである」というもの等が極論として打ち立てられることもまあ考えられる。「課題の無意味さの主張とそれに代わる課題の代替案」として、通常は人気があるものはあまり打ち立てられないことが考えられるが、私は、常識を打ち破る良い課題が出現する余地も一応考慮した。
【０００８】  そして「派生する新しい課題」、「課題と課題の統合」、「この課題の無意味さの主張とそれに代わる課題」という欄等に寄せられた意見等は、課題トーナメント制システムに反映（フィードバック）させ、それらの価値の順位を決定することも考えられる。
【０００９】  「解決策」の中に、「この解決策の否定＋改良案（アウフヘーベン）」、「この解決策の利点」、「この解決策の問題点指摘」、「この解決策に関する気付き」、「この解決策の具体化案」、「この解決策とある解決策の折衷案」という欄を設け、そこにそれぞれの人々が、それらを付け加えられるようにする。「この解決策とある解決策の折衷案」はいくつもの「解決策」の折衷案を統合することが可能であるようにする。
【００１０】  そして「課題トピック」の中にある、「課題トピック」にまつわるおのおのの「解決策」と、「解決策」にまつわるおのおのの「この解決策の否定＋改良案」と、「解決策」にまつわるおのおのの「この解決策とある解決策の折衷案」等に人々が投票できるようにする、それによって「解決策」、「この解決策の否定＋改良案」、「この解決策とある解決策の折衷案」等の中で良いものを選ぶ、これは民主主義を良いものと設定したばあいに限ってであるが。民主主義に多くの欠点が見い出せた場合は、意見トーナメント制システムを応用した、『解決策トーナメント制システム』によって、価値の高い解決策が選ばれるようにする。民主主義に多くの欠点が見い出せた場合は、「この解決策の具体化案」は意見トーナメント制システムを応用した、『解決策の具体化案トーナメント制システム』によって、価値の高い解決策の具体化案が選ばれるようにする、民主主義を良いものであるならば、それらを投票によって決めるのも良いであろう。それぞれの人々が投票によって選択を決定するまでの猶予期間等は、このシステムが運営された後に、私が具体的に決めるつもりであったが、私が決めることなく、このシステムの、「課題トピック」に「このシステムにおける投票により選択を決定するまでの猶予期間等は、具体的にどのようにするか」として載せてそれらに任せてもいい。
【００１１】  「部屋」、「課題トピック」、「関連事項」、「現行の関連する省庁・地方自治体の部署、企業等」、「派生する新しい課題」、「課題と課題の統合」、「「課題の無意味さの主張とそれに代わる課題の代替案」」、「解決策」、「この解決策の否定＋改良案」、「この解決策の利点」、「この解決策の問題点指摘」、「この解決策に関する気付き」、「この解決策の具体化案」、「この解決策とある解決策の折衷案」等には、それぞれの人々が思いついた文章を記入するなどしてそれらに関するものを作り出せるようにする。つまりそうするとこのシステム上に「民営議会」がいくつもできることが考えられる。
【００１２】  民営議会がいくつもできないことが望ましい場合は、民営議会は、一つか、いくつかができるように私が設定するつもりであるが、私が決めることなく、このシステムの、「課題トピック」に「このシステムにおいて民営議会はどれぐらいの数あるのがいいか」として載せてもいい。
【００１３】  それらには、文章を記入したり、映像を録画したものを使ったり、音声を録音したものを使ったりできるようにする。リアルタイムでもやりとりできるようにする。それによって大方の建設的議論は可能になる。
【００１４】  しかしこのシステムを実際に現国会に代わるものとして運営する場合は、このシステム上で様々な意見を取り交わす人々各自が最低限責任感を持たなければならないことが考えられる。当面においては、このシステムは現国会に代わるものとして運営されないであろうことが予想される。そして当面においては、このシステムは、実際に作られ発表され運営されたならば、世界中の人々に小馬鹿にされ、遊び道具の一つとして扱われるであろう。しかし、このシステムが何代かに渡り運営されたならば、少しずつ世に有用なものとして評価されることも考えられる。そして２０１１年現在において、このシステム上で様々な意見を取り交わす人々各自が最低限責任感を持たなければならない、という問題は、人々のやりとりの記録が大量に保存され、それがネット上で発表されるならば、人々は必然と責任感を持たなければならない状況を迎えるということによって解決されるかもしれない。